(57)【要約】【課題】  車両の外景の特定対象に対応させて表示させる虚像の位置ずれ（誤表示）を抑制し、視認者に違和感なく情報を認識させることができる。【解決手段】  前方情報取得部２０１は、自車両２の外にある特定対象Ｗの位置を推定し、第１表示手段１１は、特定対象Ｗに関する情報映像を生成し、映像位置調整手段３０ａは、前方情報取得部２０１により推定された特定対象Ｗの位置に応じて、情報映像が投影される位置を調整し、挙動検出手段２０４は、自車両２の挙動を検出し、挙動検出手段２０４にて検出した車両挙動に基づき、映像位置調整手段３０ａが情報映像の投影される位置を補正する。【選択図】図１
2015080988.tif 000002
【特許請求の範囲】
【請求項１】
車両の外にある特定対象の位置を推定する車外状況推定手段と、
前記特定対象に関する情報映像を生成する表示器と、前記表示器が生成した前記情報映像を前記車両の乗員前方の投影対象に向けるリレー光学系と、前記車外状況推定手段により推定された前記特定対象の位置に応じて、前記情報映像が投影される位置を調整する映像位置調整手段とを具備した投影装置と、
前記車両の挙動を検出する挙動検出手段と、を備え、
前記挙動検出手段にて検出した車両挙動に基づき、前記情報映像が投影される位置を補正する、
ことを特徴とする車両情報投影システム。
【請求項２】
前記映像位置調整手段は、前記挙動検出手段にて検出された前記車両挙動に基づいて、前記リレー光学系を移動または／および回転させることができるアクチュエータを有する、
ことを特徴とする請求項１に記載の車両情報投影システム。
【請求項３】
前記表示器は、表示可能領域に対して小さい通常表示領域に前記情報映像を表示し、
前記リレー光学系は、前記通常表示領域を含む前記表示可能領域に表示される像を前記投影対象に向けることが可能であり、
前記映像位置調整手段は、前記表示器における前記情報映像の表示位置を調整可能であり、前記挙動検出手段にて検出された前記車両挙動に基づいて、前記表示器における前記情報映像の表示位置を前記通常表示領域外に移動させる、
ことを特徴とする請求項１または２に記載の車両情報投影システム。
【請求項４】
前記挙動検出手段にて検出した前記車両挙動が所定の条件を満たした場合、前記投影装置は、前記情報映像の少なくとも一部の視認性を低下させる、
ことを特徴とする請求項１乃至３のいずれかに記載の車両情報投影システム。
【請求項５】
前記車外状況推定手段は、前記車両と前記特定対象との距離を検出可能な距離検出手段を有し、
前記投影装置は、前記車外状況推定手段が検出した前記距離に応じて、前記情報映像の視認性を制御する表示制御手段を有する、
ことを特徴とする請求項１乃至４のいずれかに記載の車両情報投影システム。
【請求項６】
前記表示制御手段は、前記車外状況推定手段が検出した前記距離が長い方を、前記距離が短いものより、前記情報映像の視認性を低下させる、
ことを特徴とする請求項１乃至５のいずれかに記載の車両情報投影システム。
【請求項７】
前記挙動検出手段は、前記車両の加速度を検出可能である、
ことを特徴とする請求項１乃至６のいずれかに記載の車両情報投影システム。
【請求項８】
前記挙動検出手段は、前記車両の外景における前記特定対象を撮像可能な撮像手段を有し、前記撮像手段にて撮像された前記特定対象の位置に基づき、前記車両挙動を検出する、
ことを特徴とする請求項１乃至７のいずれかに記載の車両情報投影システム。
【請求項９】
請求項１乃至８のいずれかに記載の車両情報投影システムに用いられる投影装置。
【発明の詳細な説明】
【技術分野】
【０００１】
本発明は、所定の情報映像を投影し、車両の乗員前方側に虚像を視認させる車両情報投影システム及びこれに用いる投影装置に関する。
【背景技術】
【０００２】
従来の車両情報投影システムとして、特許文献１に開示されるような投影装置であるヘッドアップディスプレイ（ＨＵＤ：Ｈｅａｄ−Ｕｐ  Ｄｉｓｐｌａｙ）装置を用いたものが知られている。このようなＨＵＤ装置は、車両のフロントガラスに情報映像を投影することで、視認者（乗員）に、車両の外界の実景とともに所定の情報を示す虚像を視認させるものであり、車両の案内経路を表す情報映像の形状や大きさや、表示させる位置を調整し、実景である車線（特定対象）に対応づけて表示することで、乗員は実景を視認しながら少ない視線移動だけで経路を確認することができるものである。
【先行技術文献】
【特許文献】
【０００３】
【特許文献１】特開２０１１−１２１４０１号公報
【発明の概要】
【発明が解決しようとする課題】
【０００４】
しかしながら、特許文献１のような実景に対応させて虚像を視認させるＨＵＤ装置において、ＨＵＤ装置が搭載された車両が、図１０（ａ）に示すように急減速した場合、車両の前方側が下向き（図１０におけるＹ軸のマイナス方向）に下がってしまう（前傾姿勢になってしまう）ため、図１０（ｂ）に示すように外景の特定対象Ｗに対して虚像Ｖが下向き（Ｙ軸のマイナス方向）にずれて視認者が視認してしまうおそれがあり、さらに、図１１（ａ）に示すように急加速した場合、車両の前方側が上向き（図１０におけるＹ軸のプラス方向）に上がってしまう（後傾姿勢になってしまう）ため、外景の特定対象Ｗに対して虚像Ｖが上向き（Ｙ軸のプラス方向）にずれて視認者に視認されてしまうおそれがあり、これら車両の外景の特定対象Ｗに対して虚像Ｖがずれてしまうこと（誤表示）により、視認者が違和感を覚えるおそれがあった。
【０００５】
本発明は上記問題を鑑みてなされたものであり、車両の外景の特定対象に対応させて表示させる虚像の位置ずれ（誤表示）を抑制し、視認者に違和感なく情報を認識させることができる車両情報投影システム及び投影装置を提供することを目的とする。
【課題を解決するための手段】
【０００６】
上記目的を達成するため、本発明に係る車両情報投影システムは、車両の外にある特定対象の位置を推定する車外状況推定手段と、前記特定対象に関する情報映像を生成する表示器と、前記表示器が生成した前記情報映像を前記車両の乗員前方の投影対象に向けるリレー光学系と、前記車外状況推定手段により推定された前記特定対象の位置に応じて、前記情報映像が投影される位置を調整する映像位置調整手段とを具備した投影装置と、前記車両の挙動を検出する挙動検出手段と、を備え、前記挙動検出手段にて検出した車両挙動に基づき、前記情報映像が投影される位置を補正するものである。
【発明の効果】
【０００７】
本発明によれば、車両の外景の特定対象に対応させて表示させる虚像の位置ずれ（誤表示）を抑制し、視認者に違和感なく情報を認識させることができる。
【図面の簡単な説明】
【０００８】
【図１】本発明の第一実施形態における車両情報投影システムの構成を説明する図である。
【図２】上記実施形態における車両の乗員が視認する景色を説明する図である。
【図３】上記実施形態における車両の乗員が視認する景色を説明する図である。
【図４】上記実施形態における画像の位置を調整する動作フロー図である。
【図５】上記実施形態におけるＨＵＤ装置の構成を説明する図である。
【図６】上記実施形態におけるＨＵＤ装置の構成を説明する図である。
【図７】第二実施形態における画像の位置を調整する動作フロー図である。
【図８】第四実施形態を用いない場合に車両の乗員が視認する景色を説明する図である。
【図９】上記実施形態を用いた場合に車両の乗員が視認する景色を説明する図である。
【図１０】従来技術の問題点を説明する図である。
【図１１】従来技術の問題点を説明する図である。
【発明を実施するための形態】
【０００９】
（第一実施形態）
本発明の車両情報投影システム１の第一実施形態について、図１〜図６を参照して説明する。なお、以下では、車両情報投影システム１の構成の理解を容易にするため、図１等に示したＸ、Ｙ、Ｚ座標系を用いて適宜説明する。ここでは、虚像Ｖを視認する乗員３から見ての左右方向に沿った軸をＸ軸、上下方向に沿った軸をＹ軸とし、Ｘ軸及びＹ軸と直交し、虚像Ｖを視認する乗員３の視線方向に沿った軸をＺ軸としている。また、図中、Ｘ、Ｙ、Ｚ軸の各軸を示す矢印の向く方向を、矢印が示す軸の＋（プラス）方向、その反対側を−（マイナス）方向として、適宜、説明する。
【００１０】
図１に第一実施形態に係る車両情報投影システム１のシステム構成を示す。
本実施形態に係る車両情報投影システム１は、第１の虚像Ｖ１を表す第１表示光Ｎ１と、第２の虚像Ｖ２を表す第２表示光Ｎ２とを自車両２のフロントガラス２ａに投影し、第１の虚像Ｖ１及び第２の虚像Ｖ２を自車両２の乗員（視認者）３に視認させる投影装置であるヘッドアップディスプレイ装置（以下、ＨＵＤ装置）１００と、自車両２に関する車両情報、及び自車両２の周辺の車外状況などを取得する情報取得部２００と、情報取得部２００から入力される情報に基づき、ＨＵＤ装置１００の表示を制御する表示コントローラ４００と、から構成される。
【００１１】
ＨＵＤ装置１００は、第１表示光Ｎ１を出射する第１投影手段１０と、第２表示光Ｎ２を出射する第２投影手段２０と、を筐体４０内に配置したものであり、筐体４０に設けられた透過部４０ａから第１表示光Ｎ１と第２表示光Ｎ２をフロントガラス２ａの遠方表示領域Ｅ１と近傍表示領域Ｅ２へ出射する。
フロントガラス２ａの遠方表示領域Ｅ１に反射した第１表示光Ｎ１は、図１に示すように、結像距離が比較的長く、乗員３から離れた位置に第１の虚像Ｖ１を視認させる。
また、フロントガラス２ａに反射した第２表示光Ｎ２は、第１の虚像Ｖ１に比べて結像距離が短く、第１の虚像Ｖ１より乗員３側に第２の虚像Ｖ２を視認させる。具体的に例えば、第１投影手段１０により投影される虚像（第１の虚像Ｖ１）は、乗員３から１５ｍ以上離れた位置にあるかのように視認され（結像距離１５ｍ以上）、第２投影手段２０により投影される虚像（第２の虚像Ｖ２及び後述する補助虚像Ｖ３）は、乗員３から２．５ｍ程度離れた位置にあるかのように視認される。
【００１２】
以下に、図２，３を用いて、乗員３が視認する第１の虚像Ｖ１及び第２の虚像Ｖ２について説明する。図２は、乗員３が自車両２の運転席で視認するフロントガラス２ａに投影された第１の虚像Ｖ１及び第２の虚像Ｖ２の様子を説明する図であり、第１の虚像Ｖ１及び第２の虚像Ｖ２は、自車両２のステアリング２ｂの上側（Ｙ軸のプラス側）に配設されるフロントガラス２ａに投影される。本実施形態におけるＨＵＤ装置１００は、第１の虚像Ｖ１が表示される領域（遠方表示領域Ｅ１）が、第２の虚像Ｖ２が表示される領域（近傍表示領域Ｅ２）より上側に配置されるように第１表示光Ｎ１及び第２表示光Ｎ２をそれぞれ出射する。図３は、後述する第１の虚像Ｖ１の一表示例である衝突警告映像Ｖ１ｃを示す図である。
【００１３】
フロントガラス２ａの遠方表示領域（第１の表示領域）Ｅ１に投影される第１の虚像Ｖ１は、図２，３に示すように、目的地までの経路を自車両２の外界の車線（実景）に重畳させて経路誘導する案内経路映像Ｖ１ａ，後述するステレオカメラ２０１ａにより白線を認識し、自車両２が車線を逸脱しそうになった場合、白線近傍に重畳させて白線の存在を認識させて車線逸脱を抑制する、または単に白線近傍に重畳させて白線の存在を認識させる白線認識映像Ｖ１ｂ，後述するステレオカメラ２０１ａにより自車両２の車線上にある物体（前方車両や障害物）を認識し、これら認識された車線上の物体の近傍に重畳させて注意を促し、衝突を抑制する衝突警告映像Ｖ１ｃ，前方車両に追従するように自車両２の速度を制御するアダプティブクルーズコントロール（ＡＣＣ：Ａｄａｐｔｉｖｅ  Ｃｒｕｉｓｅ  Ｃｏｎｔｒｏｌ）を使用する際に、前方車両として認識する車両に重畳させ、乗員３に追従する前方車両を認識させる前方車両ロック映像（図示しない），前方車両と自車両２との距離に関する指標を前方車両と自車両２との間の車線に重畳させ、車間距離を乗員に認識させる車間距離映像（図示しない），などであり、自車両２の外界の実景の特定対象（車線、白線、前方車両、障害物など）に合わせて表示されるものである。
【００１４】
フロントガラス２ａの近傍表示領域（第２の表示領域）Ｅ２に投影される第２の虚像Ｖ２は、後述する車速センサ２０４や車両ＥＣＵ３００から出力された自車両２の速度情報や回転数情報や燃費情報など自車両２の運行状態に関する運行状態映像Ｖ２ａ，後述するＧＰＳコントローラ２０３から自車両２の現在位置を認識し、ナビゲーションシステム２０２から自車両２が現在走行している車線に基づく規制情報（制限速度など）を読み出し、自車両２の現在位置に基づく規制情報に関する規制映像Ｖ２ｂ，自車両２の異常を乗員３に認識させる車両警告映像（図示しない）などであり、自車両２の外界の実景の特定対象に合わせて表示しない映像である。
【００１５】
情報取得部２００は、自車両２の前方を撮像し、自車両２の前方の状況を推定する前方情報取得部２０１と、自車両２の経路案内を行うナビゲーションシステム２０２と、ＧＰＳコントローラ２０３と、車速センサ２０４と、を備え、それぞれが取得した情報を後述する表示コントローラ４００に出力するものである。
ちなみに、本願の特許請求の範囲に記載の車外状況推定手段，距離検出手段は、本実施形態における前方情報取得部２０１，ナビゲーションシステム２０２，ＧＰＳコントローラ２０３などから構成されるが、自車両２の前方の状況を推定できるものであれば、これらに限定されるものではなく、ミリ波レーダーやソナー、または道路交通情報通信システムなどの外部通信装置と自車両２との間で通信を行うことによって、自車両２の前方の状況を推定するものであってもよい。また、本願の特許請求の範囲に記載の挙動検出手段は、本実施形態における前方情報取得部２０１，車速センサ２０４などから構成される。
【００１６】
前方情報取得部２０１は、自車両２の前方の情報を取得するものであり、本実施形態では、自車両２前方側を撮像するステレオカメラ２０１ａと、このステレオカメラ２０１ａで取得された撮像データを解析する撮像画像解析部２０１ｂと、を有する。
【００１７】
ステレオカメラ２０１ａは、自車両２が走行する道路を含む前方領域を撮像するものであり、撮像画像解析部２０１ｂがステレオカメラ２０１ａで取得された撮像データをパターンマッチング法により画像解析することで、道路形状（特定対象）に関する情報（車線，白線，停止線，横断歩道，道路の幅員，車線数，交差点，カーブ，分岐路等）や道路上の物体（特定対象）に関する情報（前方車両や障害物）を解析することができ、さらに撮像された特定対象（車線，白線，停止線，交差点，カーブ，分岐路，前方車両，障害物等）と自車両２との間の距離を算出することができる。
【００１８】
すなわち、本実施形態において、前方情報取得部２０１は、ステレオカメラ２０１ａで撮像した撮像データから解析した、道路形状（特定対象）に関する情報、道路上の物体（特定対象）に関する情報、及び撮像された特定対象と自車両２との距離に関する情報などを表示コントローラ４００に出力する。
【００１９】
ナビゲーションシステム２０２は、地図データを記憶する記憶部を有し、ＧＰＳコントローラ２０３からの位置情報に基づいて、現在位置近傍の地図データを記憶部から読み出し、案内経路を決定し、この案内経路に関する情報を表示コントローラ４００に出力し、ＨＵＤ装置１００に案内経路映像Ｖ１ａなどを表示させることにより、乗員３により設定された目的地までの経路案内を行うものである。また、ナビゲーションシステム２０２は、地図データを参照することにより、自車両２の前方の施設（特定対象）の名称・種類、及び自車両２と施設との距離を表示コントローラ４００に出力する。
【００２０】
また、地図データには、道路に関する情報（道路の幅員，車線数，交差点，カーブ，分岐路等）や制限速度などの道路標識に関する規制情報，車線が複数存在する場合の各車線についての情報（どの車線がどこに向かう車線か）などが、位置データに対応付けられて記憶されており、ナビゲーションシステム２０２は、ＧＰＳコントローラ２０３からの位置情報に基づいて、現在位置近傍の地図データを読み出し、表示コントローラ４００に出力する。
【００２１】
ＧＰＳ（Ｇｌｏｂａｌ  Ｐｏｓｉｔｉｏｎｉｎｇ  Ｓｙｓｔｅｍ）コントローラ２０３は、人工衛星などからＧＰＳ信号を受信し、このＧＰＳ信号をもとにして自車両２の位置の計算を行い、計算された自車両位置をナビゲーションシステム２０２に出力するものである。
【００２２】
車速センサ２０４は、自車両２の速度を検出し、この自車両２の速度情報を表示コントローラ４００に出力するものである。表示コントローラ４００は、車速センサ２０４から入力される速度情報に基づき、ＨＵＤ装置１００に自車両２の車速を示す運行状態映像Ｖ２ａを表示させる。また、後述する表示コントローラ４００は、車速センサ２０４から入力される速度情報に基づき、自車両２の加速度を求めることができ、この算出された加速度により自車両２の挙動を推定し、この自車両２の挙動に基づき、第１の虚像Ｖ１の位置を調整することができる（画像位置調整処理）。この『画像位置調整処理』の詳細については後述することとする。
【００２３】
車両ＥＣＵ３００は、自車両２を総合的に制御するＥＣＵ（Ｅｌｅｃｔｒｏｎｉｃ  Ｃｏｎｔｒｏｌ  Ｕｎｉｔ）であり、自車両２に搭載される様々なセンサ（図示しない）などから出力される信号に基づき、ＨＵＤ装置１００に表示させる情報映像を決定し、この情報映像の指示データを後述する表示コントローラ４００に出力することで、表示コントローラ４００がＨＵＤ装置１００に所望の情報映像を投影させる。
【００２４】
表示コントローラ４００は、ＨＵＤ装置１００における後述する第１投影手段１０、第２投影手段２０、アクチュエータ３０ａの動作を制御し、フロントガラス２ａの所定の位置に第１表示光Ｎ１及び第２表示光Ｎ２を投影させるものであり、ＣＰＵ（Ｃｅｎｔｒａｌ  Ｐｒｏｃｅｓｓｉｎｇ  Ｕｎｉｔ）やメモリなどを備える回路で構成されるＥＣＵであり、入出力部４０１と、表示制御手段４０２と、画像メモリ４０３、記憶部４０４とを含み、ＨＵＤ装置１００、情報取得部２００及び車両ＥＣＵ３００とＣＡＮ（Ｃｏｎｔｒｏｌｌｅｒ  Ａｒｅａ  Ｎｅｔｗｏｒｋ）バス通信等により信号の伝達を行う。
【００２５】
入出力部４０１は、情報取得部２００及び車両ＥＣＵ３００と通信可能に接続され、情報取得部２００から自車両２の車外における特定対象の有無や特定対象の種類や位置などを示す車外状況情報、自車両２の速度などの挙動を示す車両挙動情報、自車両２と車外の特定対象Ｗとの距離を示す距離情報などを入力する。
【００２６】
表示制御手段４０２は、情報取得部２００から入力される車外状況情報に基づき、画像メモリ４０３から映像データを読み出し、第１投影手段１０に表示させる第１情報映像Ｋ１と、第２投影手段２０に表示させる第２情報映像Ｋ２とを生成し、ＨＵＤ装置１００（第１投影手段１０及び第２投影手段２０）に出力する。
【００２７】
表示制御手段４０２は、後述する第１表示手段１１や第２表示手段２１が有する表示素子や表示素子を照明する光源を駆動するドライバーなどを含み、第１表示手段１１に第１情報映像Ｋ１を表示させ、第２表示手段２１に第２情報映像Ｋ２を表示させるものである。
表示制御手段４０２は、第１表示手段１１や第２表示手段２１の表示素子や光源を制御することにより、第１情報映像Ｋ１（第１の虚像Ｖ１）及び第２情報映像Ｋ２（第２の虚像Ｖ２）の輝度や明度を調整することができ、これにより第１の虚像Ｖ１及び第２の虚像Ｖ２の視認性を調整することができる。これら映像の視認性（輝度、明度）は、従来の車両情報投影システムにおいては、図示しない照度センサから入力される乗員３の周辺の照度情報や、図示しない調整スイッチからの操作信号に基づき調整されるのみであるが、本発明の車両情報投影システム１に係る表示制御手段４０２は、後述する『画像位置調整処理』において、自車両２の挙動が大きいと判定した場合、自車両２から一定距離以上離れた特定対象Ｗに対応する第１の虚像Ｖ１（第１情報映像Ｋ１）の輝度や明度を低下（非表示も含む）させることができる。
【００２８】
ちなみに、第１情報映像Ｋ１の生成において、表示制御手段４０２は、前方情報取得部２０１から入力される道路形状に関する情報、道路上の物体に関する情報、及び撮像された特定対象との距離に関する情報から、表示形態や表示する位置を決定し、実景の特定対象（経路誘導する分岐路，車線，前方車両や障害物）に対応する位置に第１の虚像Ｖ１が視認されるように第１情報映像Ｋ１を生成する。表示制御手段４０２は、具体的に例えば、ナビゲーションシステム２０２から入力される案内経路に関する情報に基づく自車両２の経路誘導をする案内経路映像Ｖ１ａ，前方情報取得部２０１から入力される車両前方情報に基づく車線の存在を認識させる白線認識映像Ｖ１ｂ，及び前方車両または障害物に対する注意を促す衝突警告映像Ｖ１ｃなどを生成し、これら生成した第１情報映像Ｋ１を第１投影手段１０に出力し、情報取得部２００または車両ＥＣＵ３００から入力される情報に基づき、速度情報など自車両２の運行状態に関する運行状態映像Ｖ２ａ，制限速度などの規制情報に関する規制映像Ｖ２ｂなどを生成し、これら生成した第２情報映像Ｋ２を表示制御手段４０２に出力する。
【００２９】
また、表示制御手段４０２は、自車両２の挙動を推定し、この自車両２の挙動に基づき、第１の虚像Ｖ１が乗員３によって視認される位置を調整する。以下に、図４の動作フローに基づき、本実施形態における『画像位置補正処理』について説明する。
【００３０】
表示制御手段４０２は、まず、ステップＳ１０において、所定時間毎に情報取得部２００（車速センサ２０４）から速度情報（車両挙動情報）を入力し、この速度情報の時間変化から自車両２の加速度Ａを算出する（ステップＳ２０）。次に、表示制御手段４０２は、ステップＳ２０において算出した加速度Ａと予め記憶部４０４に記憶しておいた閾値Ａｔｈとを比較する（ステップＳ３０）。そして、表示制御手段４０２は、加速度Ａが閾値Ａｔｈより大きい場合（ステップＳ３０でＮＯ）、ステップＳ４０において、自車両２から一定距離以上離れた特定対象Ｗに対応する第１の虚像Ｖ１を非表示にし（視認性を低下させ）ステップＳ５０に移行する。また、加速度Ａが閾値Ａｔｈ以下の場合（ステップＳ３０でＹＥＳ）、表示制御手段４０２は、ステップＳ５０において、記憶部４０４に予め記憶させておいた第１の画像位置補正テーブルデータのうちステップＳ２０で算出した加速度Ａに対応した位置補正量Ｄを読み出し、この位置補正量Ｄに基づき後述する第１投影手段１０が表示する第１情報映像Ｋ１（第１の虚像Ｖ１）の位置を調整する（ステップＳ６０）。このように、車両用計器の速度検出部として搭載される車速センサ２０４からの速度情報に基づき加速度を求め、この加速度から第１情報映像Ｋ１（第１の虚像Ｖ１）の位置を調整する位置補正量Ｄを求めて、位置を調整することができるので、専用の検出センサを追加することなく、第１の虚像Ｖ１の位置を調整することができる。ちなみに、表示制御手段４０２は、自車両２の挙動が通常走行における挙動であると判定した場合、第１の虚像Ｖ１の視認性を通常の視認性に制御するものである。
【００３１】
以上が、本実施の形態に係る車両情報投影システム１のシステム構成であり、これより、本実施形態のＨＵＤ装置１００の構成の一例を図５，６を用いて説明する。図５は、本実施形態におけるＨＵＤ装置１００のＸＺ平面における概略断面図であり、図６は、本実施形態におけるＨＵＤ装置１００のＹＺ平面における概略断面図である。
【００３２】
本実施形態におけるＨＵＤ装置１００は、上述したように、第１の虚像Ｖ１に係る第１表示光Ｎ１をフロントガラス２ａの遠方表示領域（第１の表示領域）Ｅ１に投影する第１投影手段１０と、第２の虚像Ｖ２に係る第２表示光Ｎ２をフロントガラス２ａの近傍表示領域（第２の表示領域）Ｅ２に投影する第２投影手段２０と、第１表示光Ｎ１及び第２表示光Ｎ２をフロントガラス２ａに向ける凹面鏡３０と、筐体４０と、を備える。
【００３３】
第１投影手段１０は、図５に示すように、第１情報映像Ｋ１を表示面に表示する第１表示手段１１、折り返しミラー１２、コリメートレンズ１３、平行ミラー１４と、を備え、第１情報映像Ｋ１を示す第１表示光Ｎ１を後述する凹面鏡３０に向けて出射し、この凹面鏡３０により第１表示光Ｎ１がフロントガラス２ａの所定の領域に投影（反射）され、フロントガラス２ａの遠方表示領域Ｅ１において、第１の虚像Ｖ１を乗員３に視認させるものである。
【００３４】
第１表示手段１１は、液晶ディスプレイ（ＬＣＤ）などから構成される表示素子１１ａと、この表示素子１１ａを背面から照明する光源１１ｂなどから構成されており、表示コントローラ４００から出力される信号に基づき、所望の第１情報映像Ｋ１を表示素子１１ａの表示面に表示するものである。なお、第１表示手段１１は、透過型のＬＣＤではなく、自発光型の有機ＥＬディスプレイや、反射型のＤＭＤ（Ｄｉｇｉｔａｌ  Ｍｉｃｒｏｍｉｒｒｏｒ  Ｄｅｖｉｃｅ）、反射型及び透過型のＬＣＯＳ（登録商標：Ｌｉｑｕｉｄ  Ｃｒｙｓｔａｌ  Ｏｎ  Ｓｉｌｉｃｏｎ）等で構成されてもよい。
【００３５】
第１投影手段１０において、第１表示手段１１が表示する第１情報映像Ｋ１を示す画像光Ｌは、折り返しミラー１２によって反射され、コリメートレンズ１３に入射する。画像光Ｌはコリメートレンズ１３によって、平行化される（コリメートレンズ１３が平行光Ｍを出射する）。コリメートレンズ１３から出射した平行光Ｍは、平行ミラー１４に入射する。平行ミラー１４のうち、一方の反射面は、入射した光の一部を反射し一部を第１表示光Ｎ１として透過する半透過ミラー１４ａであり、もう一方の反射面は反射のみをする反射ミラー１４ｂである。平行ミラー１４に入射した平行光Ｍは、平行ミラー１４内で反射を繰り返しつつ、一部の平行光Ｍは平行ミラー１４から複数の第１表示光Ｎ１として出射する（半透過ミラー１４ａを複数の第１表示光Ｎ１が透過する）。第１表示光Ｎ１は、コリメートレンズ１３により、平行化された光なので、第１表示光Ｎ１を乗員３が両眼で視認することにより、第１表示手段１１が表示した第１情報映像Ｋ１は、乗員３から遠方にあるように視認される（第１の虚像Ｖ１）。本実施形態における第１投影手段１０においては、このコリメートレンズ１３から出射される平行光Ｍを平行ミラー１４間で複数回反射させることで、第１表示光Ｎ１をＸ軸方向に複製して出射させることができるので、乗員３の両眼がＸ軸方向に移動しても広範囲で第１の虚像Ｖ１を視認することができる。
【００３６】
第２投影手段２０は、表示コントローラ４００から入力される信号に基づき、第２情報映像Ｋ２を表示する第２表示手段２１を有する。この第２表示手段２１は、図６に示すように、後述する筐体４０の開口４０ｂから、第２情報映像Ｋ２を示す第２表示光Ｎ２を後述する凹面鏡３０に向けて出射し、この凹面鏡３０により第２表示光Ｎ２がフロントガラス２ａの所定の領域に投影（反射）され、フロントガラス２ａの近傍表示領域Ｅ２において、第２の虚像Ｖ２を乗員３に視認させるものである。
【００３７】
凹面鏡３０は、例えば合成樹脂材料からなる基材の表面に、蒸着等の手段により反射膜を形成したものであり、第１投影手段１０から出射される第１表示光Ｎ１と、第２投影手段２０から出射される第２表示光Ｎ２と、をフロントガラス２ａに向けて反射する。凹面鏡３０で反射した第１表示光Ｎ１（第２表示光Ｎ２）は、筐体４０の透過部４０ａを透過して、フロントガラス２ａに向かう。フロントガラス２ａに到達し、反射された第１表示光Ｎ１（第２表示光Ｎ２）は、フロントガラス２ａの前方位置の遠方表示領域Ｅ１に第１情報映像Ｋ１に係る第１の虚像Ｖ１を表示し、近傍表示領域Ｅ２に第２情報映像Ｋ２に係る第２の虚像Ｖ２を表示する。これにより、ＨＵＤ装置１００は、第１の虚像Ｖ１（第２の虚像Ｖ２）と、フロントガラス２ａの前方に実際に存在する外景（特定対象Ｗを含む）等の双方を、乗員３に視認させることができる。なお、凹面鏡３０は拡大鏡としての機能を有し、第１表示手段１１（第２表示手段２１）に表示された第１情報映像Ｋ１（第２情報映像Ｋ２）を拡大してフロントガラス２ａ側へ反射する。すなわち、乗員３に視認される第１の虚像Ｖ１（第２の虚像Ｖ２）は第１表示手段１１（第２表示手段２１）が表示する第１情報映像Ｋ１（第２情報映像Ｋ２）が拡大した像である。
【００３８】
筐体４０は、第１投影手段１０、第２投影手段２０、凹面鏡３０を収納するものであり、それぞれを位置決め固定する。筐体４０は、凹面鏡３０が反射する第１表示光Ｎ１と第２表示光Ｎ２とをフロントガラス２ａに出射するための透過部４０ａを有する。また、筐体４０は、第２投影手段２０が出射する第１表示光Ｎ１を凹面鏡３０側へ透過する開口４０ｂを有する。
【００３９】
以上が、本実施形態におけるＨＵＤ装置１００の構成であるが、本発明の車両情報投影システム１に用いられるＨＵＤ装置としては、上記の例に限られず、第１投影手段１０を、第２投影手段２０が出射する光の光路より長い光路を有するように配設して、第１投影手段１０が投影する第１の虚像Ｖ１が遠方に視認されるようにしてもよい。
【００４０】
また、上記実施形態においては、第１の虚像Ｖ１の結像距離が第２の虚像Ｖ２の結像距離が長く設定されていたが、これに限らず、第１の虚像Ｖ１の結像距離が第２の虚像Ｖ２の結像距離とは、略同等であってもよい。また、この場合、第１の表示領域Ｅ１に表示される第１の虚像Ｖ１に関わる第１情報映像Ｋ１と、第２の表示領域Ｅ２に表示される第２の虚像Ｖ２に関わる第２情報映像Ｋ２とを共通の表示手段（例えば、上記実施形態における第２投影手段２０のみ）で生成してもよい。
【００４１】
また、投影対象は、自車両２のフロントガラス２ａに限定されず、板状のハーフミラー、ホログラム素子等により構成されているコンバイナであってもよい。
【００４２】
また、第１の虚像Ｖ１と第２の虚像Ｖ２が同一の投影対象上に投影されていなくてもよく、一方はフロントガラス２ａに投影され、他方は、上記コンバイナに投影されるように構成してもよい。
【００４３】
以上説明したように、第一実施形態における車両情報投影システム１は、自車両２の外にある特定対象Ｗの位置を推定する情報取得部２００（前方情報取得部２０１，ナビゲーションシステム２０２，ＧＰＳコントローラ２０３）と、特定対象Ｗに関する第１情報映像Ｋ１（第２情報映像Ｋ２）を生成する第１表示手段１１（第２表示手段２１）と、第１表示手段１１（第２表示手段２１）が生成した情報映像を自車両２の乗員３前方のフロントガラス２ａに向ける凹面鏡３０と、情報取得部２００により推定された特定対象Ｗの位置に応じて、情報映像が投影される位置を、凹面鏡３０を駆動することで調整するアクチュエータ３０ａと、を具備したＨＵＤ装置１００と、自車両２の挙動を検出する情報取得部２００（車速センサ２０４）と、を備え、情報取得部２００にて検出した車速から加速度を算出し、この加速度から自車両２の挙動を推定し、この自車両２の挙動に基づき、第１情報映像Ｋ１（第２情報映像Ｋ２）が投影される位置を補正するものであり、斯かる構成により、自車両２の外の特定対象Ｗに対応させて表示させる第１の虚像Ｖ１の位置ずれ（誤表示）を抑制し、自車両２の乗員３に違和感なく情報を認識させることができる。
【００４４】
また、第一実施形態における第１情報映像Ｋ１（第１の虚像Ｖ１）が投影される位置を調整する映像位置調整手段は、車速センサ２０４にて検出された車両挙動に基づいて、凹面鏡３０を回転させることができるアクチュエータ３０ａであり、容易に第１情報映像Ｋ１（第１の虚像Ｖ１）が投影される位置を調整することができる。この際、凹面鏡３０の回転により、特定対象Ｗに対応して表示しない第２の虚像Ｖ２の表示位置も移動してしまうが、表示コントローラ４００が凹面鏡３０の回転（アクチュエータ３０ａの駆動）に対応して、第２表示手段２１に表示される第２情報映像Ｋ２の表示面上の位置を変更することにより、フロントガラス２ａに対して第２の虚像Ｖ２が視認される相対的な位置が変更されないため、乗員３が第２の虚像Ｖ２を安定して視認することができる。なお、第２表示手段２１に表示される第２情報映像Ｋ２の表示面上の位置の調整量は、凹面鏡３０の回転量（アクチュエータ３０ａの駆動量）に対応付けられて予め記憶部４０４に記憶されており、これを読み出すことにより、迅速に第２情報映像Ｋ２の位置を調整することができる。
【００４５】
また、第一実施形態における車両情報投影システム１において、車両挙動が所定の条件を満たした場合、表示コントローラ４００は、第１の虚像Ｖ１のうち、自車両２から所定距離以上離れた特定対象Ｗに対する第１の虚像Ｖ１の視認性を低下させるものである。つまり、車両挙動によって自車両２の姿勢が前後に傾く際に特定対象Ｗと第１の虚像Ｖ１との位置ずれが大きくなる、自車両２から離れた位置にある特定対象Ｗに対応した第１の虚像Ｖ１の視認性を低下させることにより、第１の虚像Ｖ１の位置が急激に大きく変化することに起因する乗員３の戸惑いを軽減することが可能であり、また、特定対象Ｗと第１の虚像Ｖ１との位置ずれが大きくなることに起因する第１の虚像Ｖ１の位置補正の誤差が大きくなってしまった場合でも、乗員３が特定対象Ｗと第１の虚像Ｖ１との位置ずれを視認しにくくすることで乗員３が違和感を覚えにくくすることができる。また、自車両２から所定距離以上離れた特定対象Ｗに対する第１の虚像Ｖ１の視認性を低下させることにより、近距離の特定対象Ｗに対応する第１の虚像Ｖ１の視認性が相対的に高くなるため、特に近距離の特定対象Ｗに対して、乗員３に注意を促すことができる。
【００４６】
また、第一実施形態における車両情報投影システム１において、表示コントローラ４００は、自車両２と特定対象Ｗとの距離に応じて、第１の虚像Ｖ１の視認性を制御するものであり、自車両２の挙動が大きい緊急的な場合においても、第１の虚像Ｖ１の視認性の違いにより、自車両２と特定対象Ｗとの距離を速やかに認識することができる。
【００４７】
なお、本発明は以上の実施形態及び図面によって限定されるものではない。本発明の要旨を変更しない範囲で、適宜、変更（構成要素の削除も含む）を加えることが可能である。以下に変形例の一例を示す。
【００４８】
（第二実施形態）
上記実施形態においては、自車両２の挙動を、車速センサ２０４の車速情報から自車両２の加速度を求めることにより推定していたが、これに限らず、ステレオカメラ２０１ａにて撮像される特定対象Ｗの位置の時間推移に基づき、自車両２の挙動を推定してもよい。具体的には、図７の動作フローに基づき『画像位置調整処理』を行う。
【００４９】
表示制御手段４０２は、まず、ステップＳ１０ａにおいて、所定時間毎に前方情報取得部２０１（ステレオカメラ２０１ａ）から特定対象Ｗの位置情報（車両挙動情報）を入力し、この位置情報の時間変化から特定対象Ｗの移動量Ｃを算出する（ステップＳ２０ａ）。なお、特定対象Ｗの移動量Ｃは、Ｙ軸方向の移動量であり、ステレオカメラ２０１ａの撮像方向における上下方向の移動量であり、この特定対象Ｗの移動量Ｃから自車両２のＹ軸方向の傾きを推定することができる。
次に、表示制御手段４０２は、ステップＳ２０ａにおいて算出した移動量Ｃと予め記憶部４０４に記憶しておいた閾値Ｃｔｈとを比較する（ステップＳ３０ａ）。そして、表示制御手段４０２は、移動量Ｃが閾値Ｃｔｈより大きい場合（ステップＳ３０ａでＮＯ）、ステップＳ４０ａにおいて、自車両２から一定距離以上離れた特定対象Ｗに対応する第１の虚像Ｖ１を非表示にし（視認性を低下させ）ステップＳ５０ａに移行する。また、移動量Ｃが閾値Ｃｔｈ以下の場合（ステップＳ３０ａでＹＥＳ）、表示制御手段４０２は、ステップＳ５０ａにおいて、記憶部４０４に予め記憶させておいた第２の画像位置補正テーブルデータのうちステップＳ２０ａにて算出した移動量Ｃに対応した位置補正量Ｄを読み出し、この位置補正量Ｄに基づき後述する第１投影手段１０が表示する第１情報映像Ｋ１（第１の虚像Ｖ１）の位置を調整する（ステップＳ６０ａ）。このように、ステレオカメラ２０１ａが撮像する特定対象Ｗの位置ずれに基づき、第１の虚像Ｖ１の位置を補正することにより、正確に第１の虚像Ｖ１の位置を補正することができる。
【００５０】
（第三実施形態）
上記実施形態において、第１情報映像Ｋ１（第１の虚像Ｖ１）が投影される位置を調整する映像位置調整手段は、車両挙動に基づいて反射型の光学部材である凹面鏡（リレー光学系）３０を回転させるアクチュエータ３０ａで及びこれを制御する表示コントローラ４００で構成されていたが、表示コントローラ４００が、第１表示手段１１の表示面上で第１情報映像Ｋ１の位置を調整することで、フロントガラス２ａに投影される第１情報映像Ｋ１（第１の虚像Ｖ１）の位置を調整してもよい。具体的には、第１表示手段１１は、表示可能領域に対して小さい通常表示領域に第１情報映像Ｋ１を表示し、凹面鏡３０（リレー光学系）は、通常表示領域を含む表示可能領域に表示される像をフロントガラス２ａに向けることが可能であり、表示コントローラ４００は、第１表示手段１１における第１情報映像Ｋ１の表示位置を調整可能であり、検出された車両挙動に基づいて、第１表示手段１１における第１情報映像Ｋ１の表示位置を通常表示領域外に移動させるものである。
【００５１】
（第四実施形態）
以下に、本発明の第四実施形態を、図８，９を用いて説明する。図８は、本実施形態を用いない場合の乗員３が視認する景色を示す図である。また、図９は、本実施形態を用いた場合の乗員３が視認する景色を示す図である。なお、これらの図においては、図を見易くするために、第２の表示領域Ｅ２や第１の虚像Ｖ１を省略した。
まず、本発明の第四実施形態を用いない場合の問題点について説明する。例えば、図８（ａ）に示すように、フロントガラス２ａ上の第１の表示領域Ｅ１１の端部（下端）付近で特定対象Ｗに対応する第１の虚像Ｖ１を表示しながら自車両２が停車しており、その後に自車両２が急加速した場合、自車両２が後傾することで、第１の表示領域Ｅ１２が特定対象Ｗに対して上側（Ｙ軸のプラス方向）にずれてしまい、特定対象Ｗに対応するように第１の虚像Ｖ１を表示できないという問題がある。
しかしながら、本発明の第四実施形態においては、第１情報映像Ｋ１（第１の虚像Ｖ１）が投影される位置を、凹面鏡（リレー光学系）３０を回転させるアクチュエータ３０ａと、表示面上で第１情報映像Ｋ１の位置を調整する第１表示手段１１と、これらアクチュエータ３０ａ及び第１表示手段１１を制御する表示コントローラ４００と、によって位置調整することで、上記問題を解消することができる。
【００５２】
第四実施形態における表示コントローラ４００は、まず第１の表示領域Ｅ１１内のどこの領域に第１の虚像Ｖ１が表示されているか認識する。表示コントローラ４００は、第１の虚像Ｖ１が表示されている領域が、図９（ａ）に示すように、自車両２の挙動によっては特定対象Ｗに対応した位置に位置調整できない領域（第１の虚像Ｖ１が第１の表示領域Ｅ１１の端部付近）であると判定した場合、アクチュエータ３０ａを駆動して、図９（ｂ）に示すように、フロントガラス２ａにおける第１の表示領域Ｅ１１の位置を、第１の表示領域Ｅ１１内の特定対象Ｗの位置が、第１の表示領域Ｅ１１の端部付近にならないように下側に移動させる（図９（ｂ）における第１の表示領域Ｅ１１の位置から第１の表示領域Ｅ１２の位置へ移動させる）。そして、表示コントローラ４００は、図９（ｃ）に示すように、第１表示手段１１の表示面上で第１情報映像Ｋ１の位置を調整することで、特定対象Ｗに対応した位置に第１の虚像Ｖ１の位置を調整する。斯かる構成により、図９（ｃ）の状態で、自車両２が急加速した場合でも、第１の虚像Ｖ１の下側に位置調整可能なスペースを確保されているので、表示コントローラ４００が、第１表示手段１１の表示面上で第１情報映像Ｋ１の位置を下側（Ｙ軸のマイナス方向）に調整することが可能となり、迅速に第１の虚像Ｖ１の位置を調整することができる。また、自車両２が（高速で）走行している場合、急減速により、第１の虚像Ｖ１が特定対象Ｗの上側（Ｙ軸のプラス側）にずれてしまうことが予測されるため、自車両２が（高速で）走行している場合、表示コントローラ４００は、上述した方法で、第１の虚像Ｖ１の上側に位置調整可能なスペースを確保するとよい。
【００５３】
上記実施形態において、車両挙動に基づいて反射型の光学部材である凹面鏡（リレー光学系）３０を回転させることで、第１情報映像Ｋ１（第１の虚像Ｖ１）が投影される位置を調整していたが、これに限られず、第１投影手段１０から出射される第１表示光Ｎ１を、レンズなどの屈折型の光学部材を回転および／または移動させることで、第１情報映像Ｋ１（第１の虚像Ｖ１）が投影される位置を調整するものであってもよい。
【００５４】
また、表示コントローラ４００は、上述した以外に、ジャイロセンサ、サスストロークセンサ、ブレーキペダルセンサ、アクセルペダルセンサなどの出力信号から自車両２の挙動を推定して、第１の虚像Ｖ１の位置補正量Ｄを算出してもよい。
【符号の説明】
【００５５】
１  車両情報投影システム、１００  ＨＵＤ装置（投影装置）、１０  第１投影手段、１１  第１表示手段、２０  第２投影手段、２１  第２表示手段、３０  凹面鏡（リレー光学系）、３０ａ  アクチュエータ（映像位置調整手段）、２００  情報取得部（車外状況推定手段）、４００  表示コントローラ（映像位置調整手段）、Ｅ１  遠方表示領域（第１表示領域）、Ｅ２  近傍表示領域（第２表示領域）、Ｋ１  第１情報映像、Ｋ２  第２情報映像、Ｌ  画像光、Ｎ１  第１表示光、Ｎ２  第２表示光、Ｖ１  第１の虚像、Ｖ２  第２の虚像
【図１】
2015080988.tif 000003
【図２】
2015080988.tif 000004
【図３】
2015080988.tif 000005
【図４】
2015080988.tif 000006
【図５】
2015080988.tif 000007
【図６】
2015080988.tif 000008
【図７】
2015080988.tif 000009
【図８】
2015080988.tif 000010
【図９】
2015080988.tif 000011
【図１０】
2015080988.tif 000012
【図１１】
2015080988.tif 000013